(57)【要約】【課題】発電設備の運転データの変化速度に応じてサンプリングを行い、監視や故障解析を容易に行うことのできる発電設備の遠隔監視装置および遠隔監視方法を得ること。【解決手段】発電設備の運転データの収集を高速サンプリング３１と低速サンプリング３２を組合せたデータ収集手段３と、収集したデータを送受信するデータ伝送手段４および６、受信したデータを保存するデータ保存手段７と、データ保存手段に保存されたデータに関して外部に出力する出力手段８および判定するデータ判定手段９を有する。【選択図】図１
2005346463.tif 000002
【特許請求の範囲】
【請求項１】
発電所の発電設備から検出された運転データを高速サンプリングあるいは低速サンプリングして収集するデータ収集装置と、
このデータ収集装置で収集した運転データを発電所から制御所に伝送するデータ伝送装置と、
制御所に設けられ伝送されてきた運転データを保存するデータ保存装置と、
このデータ保存装置に保存された運転データを出力する出力装置と、
前記データ保存装置に保存された運転データの状態を判定するデータ判定装置とを備えたことを特徴とする発電設備の遠隔監視装置。
【請求項２】
前記データ収集手段は、収集した発電設備の運転データを用いて他の運転データを演算により求めるデータ演算部を備えたことを特徴とする請求項１記載の発電設備の遠隔監視装置。
【請求項３】
前記データ収集手段は、収集した発電設備の運転データがトリガ判定値を超えるか否かを判定するトリガ判定部と、このトリガ判定部からの動作出力が生じたとき、内部トリガ信号を発信させるトリガ発信部とを備えたことを特徴とする請求項１記載の発電設備の遠隔監視装置。
【請求項４】
前記データ収集手段は、高速サンプリング部および低速サンプリング部の前段にサンプリング周期切り替え部を備え、サンプリング周期切り替え指令を入力したとき、サンプリング周期切り替え部を動作させて、データ収集のサンプリング周期を変更することを特徴とする請求項１記載の発電設備の遠隔監視装置。
【請求項５】
前記データ収集装置は、前記トリガ判定部の判定値を任意に変更する判定値変更部を備えたことを特徴とする請求項１記載の発電設備の遠隔監視装置。
【請求項６】
前記データ判定装置は、入力した原運転データを演算して他の運転データを求めるデータ演算部と、このデータ演算部で求めた運転データおよび原運転データの双方を入力し、双方のデータについてデータ判定を行うデータ判定部とを備えたことを特徴とする請求項１記載の発電設備の遠隔監視装置。
【請求項７】
前記データ判定装置は、入力した発電設備の運転データが所定値を超えているか否かを判定するデータ判定部およびこのデータ判定部から動作出力が生じたとき、トリガ信号を発信するトリガ発信部とから構成したことを特徴とする請求項１記載の発電設備の遠隔監視装置。
【請求項８】
発電所の発電設備から検出された運転データを高速サンプリングあるいは低速サンプリングして収集するデータ収集装置と、
このデータ収集装置で収集した運転データを発電所から制御所に伝送するデータ伝送装置と、
制御所に設けられ伝送されてきた運転データを保存するデータ保存装置と、
このデータ保存装置に保存された運転データを出力する出力装置と、
前記データ保存装置に保存された運転データの状態を判定するデータ判定装置とを備えた発電設備の遠隔監視装置において、
前記データ収集装置は、サンプリング周期切り替え指令に基づいて、データ収集のサンプリング周期を変更するサンプリング周期切り替え部を有し、前記データ判定装置はデータ判定部およびトリガ発信部を有し、このトリガ発信部から発せられるトリガ信号を前記データ伝送装置により発電所側に伝送し、前記サンプリング周期切り替え器を切替制御することを特徴とする発電設備の遠隔監視装置。
【請求項９】
前記データ判定装置のデータ判定値を変更可能にする判定値変更部を設けたことを特徴とする請求項１０記載の発電設備の遠隔監視装置。
【請求項１０】
前記データ保存装置は、入力した原運転データを演算して他の運転データを求めるデータ演算部と、このデータ演算部で求めた運転データおよび原運転データとを入力し、双方のデータについてデータ保存を行うデータ保存部とを備えたことを特徴とする請求項１記載の発電設備の遠隔監視装置。
【請求項１１】
前記データ保存装置は、データ保存部、トリガ判定部およびトリガ発信部とから構成したことを特徴とする請求項１記載の発電設備の遠隔監視装置。
【請求項１２】
発電所の発電設備から検出された運転データを高速サンプリングあるいは低速サンプリングして収集するデータ収集装置と、
このデータ収集装置で収集した運転データを発電所から制御所に伝送するデータ伝送装置と、
制御所に設けられ伝送されてきた運転データを保存するデータ保存装置と、
このデータ保存装置に保存された運転データを出力する出力装置と、
前記データ保存装置に保存された運転データの状態を判定するデータ判定装置とを備えた発電設備の遠隔監視装置において、
前記データ収集装置は、サンプリング周期切り替え指令に基づいて、データ収集のサンプリング周期を変更するサンプリング周期切り替え部を有し、前記データ保存装置は、データ保存部、トリガ判定部およびトリガ発信部を有し、このトリガ発信部から発せられるトリガ信号を前記データ伝送装置により発電所側に伝送し、サンプリング周期切り替え器を切替制御することを特徴とする発電設備の遠隔監視装置。
【請求項１３】
前記データ保存装置のトリガ判定部の設定値を変更する設定値変更部を有することを特徴とする発電設備の遠隔監視装置。
【請求項１４】
発電設備の運転データを所定の周期で伝送するためのデータ保存装置を発電所側の前記データ伝送装置の前段に設けたことを特徴とする請求項１記載の発電設備の隔監視装置。
【請求項１５】
前記データ判定装置が運転データの異常を判定したとき、外部に連絡する外部連絡装置およびこの外部連絡装置からの信号を受信する外部受信装置を設けたことを特徴とする請求項１記載の発電設備の遠隔監視装置。
【請求項１６】
発電所の発電設備から検出された運転データを高速サンプリングあるいは低速サンプリングして収集するデータ収集装置と、このデータ収集装置で収集した運転データを発電所から制御所に伝送するデータ伝送装置と、制御所に設けられ伝送されてきた運転データを保存するデータ保存装置と、このデータ保存装置に保存された運転データを出力する出力装置と、前記データ保存装置に保存された運転データの状態を判定するデータ判定装置とを備えた発電設備の遠隔監視装置において、前記発電所に発電設備を制御する制御装置を設置するとともに、前記データ判定装置にデータ判定部およびこのデータ判定部の動作出力によりリモート操作信号を発信するリモート操作信号発信部を備え、このリモート操作信号発信部から発信されたリモート操作信号を前記データ伝送装置により発電所側に伝送し、前記制御装置を介して発電設備を制御することを特徴とする発電設備の遠隔監視装置。
【請求項１７】
発電設備の運転データを高速サンプリングおよび低速サンプリングを組合せて収集するデータ収集手段と、このデータ収集手段で収集した運転データを制御所に伝送するデータ伝送手段と、伝送されてきた運転データを保存するデータ保存手段と、このデータ保存手段に保存された発電機運転データを出力する出力手段と、前記データ保存手段に保存された運転データの状態を判定するデータ判定手段とを備えたことを特徴とする発電設備の遠隔監視方法。
【発明の詳細な説明】
【技術分野】
【０００１】
本発明は、発電設備の運転データを遠隔地にて監視する発電設備の遠隔監視装置および遠隔監視方法に関する。
【背景技術】
【０００２】
一般に、発電設備を構成する主機（発電機）や補機から検出される運転データには、速度信号、端子電圧や電流等の電気信号、固定子巻線温度や軸受温度等の温度信号、蒸気圧力や各種ポンプ吐出圧力等の圧力信号等種々のデータがあり、これら速度信号や電圧・電流等の電気信号のように変化速度が比較的早いデータも、温度信号や圧力信号等のように変化速度の遅いデータも同じ周期でサンプリングして伝送装置により発電所から遠隔の地に設置されている制御所に伝送され、制御所において監視制御や故障解析等に用いられている。
【０００３】
なお、本発明の対象とする発電設備の遠隔監視とは分野が異なるが、河川管理施設の遠隔監視装置においても、水位計で計測した水位信号をサンプリングした後、監視センターに伝送してデータ収集装置で収集するようにした技術は下記の特許文献１で開示されている。
【特許文献１】特開２００１−１９５１２５号公報
【発明の開示】
【発明が解決しようとする課題】
【０００４】
しかしながら、特許文献１を含む上述した従来の方式では、データの変化速度に応じてサンプリング周期を設定するとか、運転データに異常を予兆するような変化が現れた場合、サンプリング速度を上げて監視を強化しようとしても、サンプリング速度を変更するようには構成されていない。仮に運転データのサンプリング速度を変化速度の早い方に合わせた場合、データ保存数が多くなってデータ保存装置が大型になり現実的ではなく、逆に変化速度の遅い方にサンプリング速度を合わせた場合は、変化速度の早い運転データを適切に監視及び故障解析を行えなくなるという欠点があった。
【０００５】
そこで、本発明は上述した従来技術の課題を解決するためになされたものであり、発電設備の運転データの変化速度あるいは発電設備の運転状況に応じてサンプリングを行い、監視や故障解析を容易に行うことのできる発電設備の遠隔監視装置および遠隔監視方法を得ることを目的とする。
【課題を解決するための手段】
【０００６】
上記の目的を達成するため、請求項１に係る発電設備の遠隔監視装置の発明は、発電所の発電設備から検出された運転データを高速サンプリングあるいは低速サンプリングして収集するデータ収集装置と、このデータ収集装置で収集した運転データを発電所から制御所に伝送するデータ伝送装置と、制御所に設けられ伝送されてきた運転データを保存するデータ保存装置と、このデータ保存装置に保存された運転データを出力する出力装置と、前記データ保存装置に保存された運転データの状態を判定するデータ判定装置とを備えたことを特徴とする。
【０００７】
また、請求項８に係る発電設備の遠隔監視装置の発明は、発電所の発電設備から検出された運転データを高速サンプリングあるいは低速サンプリングして収集するデータ収集装置と、このデータ収集装置で収集した運転データを発電所から制御所に伝送するデータ伝送装置と、制御所に設けられ伝送されてきた運転データを保存するデータ保存装置と、このデータ保存装置に保存された運転データを出力する出力装置と、前記データ保存装置に保存された運転データの状態を判定するデータ判定装置とを備えた発電設備の遠隔監視装置において、前記データ収集装置は、サンプリング周期切り替え指令に基づいて、データ収集のサンプリング周期を変更するサンプリング周期切り替え部を有し、前記データ判定装置はデータ判定部およびトリガ発信部を有し、このトリガ発信部から発せられるトリガ信号を前記データ伝送装置により発電所側に伝送し、前記サンプリング周期切り替え器を切替制御することを特徴とする。
【０００８】
また、請求項１２に係る発電設備の遠隔監視装置の発明は、発電所の発電設備から検出された運転データを高速サンプリングあるいは低速サンプリングして収集するデータ収集装置と、このデータ収集装置で収集した運転データを発電所から制御所に伝送するデータ伝送装置と、制御所に設けられ伝送されてきた運転データを保存するデータ保存装置と、このデータ保存装置に保存された運転データを出力する出力装置と、前記データ保存装置に保存された運転データの状態を判定するデータ判定装置とを備えた発電設備の遠隔監視装置において、前記データ収集装置は、サンプリング周期切り替え指令に基づいて、データ収集のサンプリング周期を変更するサンプリング周期切り替え部を有し、前記データ保存装置は、データ保存部、トリガ判定部およびトリガ発信部を有し、このトリガ発信部から発せられるトリガ信号を前記データ伝送装置により発電所側に伝送し、サンプリング周期切り替え器を切替制御することを特徴とする。
【０００９】
さらに、請求項１６に係る発電設備の遠隔監視装置の発明は、発電設備の遠隔監視装置発電所の発電設備から検出された運転データを高速サンプリングあるいは低速サンプリングして収集するデータ収集装置と、このデータ収集装置で収集した運転データを発電所から制御所に伝送するデータ伝送装置と、制御所に設けられ伝送されてきた運転データを保存するデータ保存装置と、このデータ保存装置に保存された運転データを出力する出力装置と、前記データ保存装置に保存された運転データの状態を判定するデータ判定装置とを備えた発電設備の遠隔監視装置において、前記発電所に発電設備を制御する制御装置を設置するとともに、前記データ判定装置にデータ判定部およびこのデータ判定部の動作出力によりリモート操作信号を発信するリモート操作信号発信部を備え、このリモート操作信号発信部から発信されたリモート操作信号を前記データ伝送装置により発電所側に伝送し、前記制御装置を介して発電設備を制御することを特徴とする。
【００１０】
さらにまた、請求項１７に係る発電設備の遠隔監視方法の発明は、発電設備の運転データを高速サンプリングおよび低速サンプリングを組合せて収集するデータ収集手段と、このデータ収集手段で収集した運転データを制御所に伝送するデータ伝送手段と、伝送されてきた運転データを保存するデータ保存手段と、このデータ保存手段に保存された発電機運転データを出力する出力手段と、前記データ保存手段に保存された運転データの状態を判定するデータ判定手段とを備えたことを特徴とする。
【発明の効果】
【００１１】
本発明の発電設備の遠隔監視装置および遠隔監視方法によれば、運転データの変化速度あるいは発電設備の運転状況に応じたサンプリングを行うことにより、発電所から離れた場所に設置されている制御所等の監視ポイントにおいて、発電設備を適切に監視、故障解析することができる。
【発明を実施するための最良の形態】
【００１２】
以下、本発明に係る発電設備の遠隔監視装置および遠隔監視方法の実施例について、図面を参照して説明する。
【００１３】
（実施例１）
図１は本発明の実施例１に係る発電設備の遠隔監視装置を示す構成図である。
図１において、１０は発電所であり、電圧検出センサー、電流検出センサー、固定子コイル温度検出センサー、軸受温度検出センサー等運転管理に必要な各種センサーを備えた発電機１と、この発電機１の各種センサーから出力されたアナログ量としての電圧、電流、温度、圧力等の運転データを入力し、データ収集に適した大きさの電気信号に変換する変換器２と、この変換器２の出力をそれぞれ高速サンプリング部３１あるいは低速サンプリング部３２によりサンプリングし、ディジタルデータに変換した上でデータ収集部３３に収集するデータ収集装置３と、このデータ収集装置３で収集された運転データを公衆回線等のデータ伝送路５を経て遠隔地に設置された監視制御ポイント（以下、制御所という）２０へ送信するためのデータ伝送装置４とを備えている。
【００１４】
制御所２０では、データ伝送路５を経て伝送されてきた運転データを受信するデータ伝送装置６と、この受信した運転データを一旦保存するデータ保存装置７と、保存された運転データを出力するＣＲＴ、フラットパネル等の表示出力装置あるいはプリンタ等の印字出力装置若しくはこれらを組み合わせて構成したデータ出力装置８と、このデータ出力装置８に保存された運転データが予定値に対して変動しているか否かを判定するデータ判定装置９とを備えている。
【００１５】
以上のように構成された発電設備の遠隔監視装置は、発電機１に設置された各種センサーで検出された電圧、電流等の電気量および固定子コイル温度、軸受温度、圧力等の運転データを変換器２に入力して適切な大きさに変換した後、データ収集装置３に入力する。このデータ収集装置３は、運転データのうち、電圧、電流等のデータ変化速度の比較的早い電気量データを高速サンプリング部３１によって高速サンプリングし、データ変化速度の遅い温度とか圧力等のデータを低速サンプリング部３２によって低速サンプリングする。この場合の高速サンプリング周期は１．６７[ｍｓ]、低速サンプリング周期は１[ｓ]程度である。
【００１６】
これらサンプリング部３１、３２によりサンプリングされ、ディジタル化された運転データはデータ収集部３３に収集される。そして、データ収集装置３で収集された運転データはデータ伝送装置４へ送られ、即時（リアルタイム）にデータ伝送路５を経て制御所２０のデータ受信装置６に送信される。
【００１７】
制御所２０ではデータ伝送装置６で受信した運転データをデータ保存装置７に保存する。そして、このデータ保存装置７に保存したデータの全部若しくは予め定めたデータをＣＲＴやフラットパネル等のディスプレイあるいは、プリンタ等のデータ出力装置８を用いて制御所２０の運転員に呈示する。
【００１８】
さらに、データ保存装置７に保存された運転データは、データ判定装置９に入力されて予定値と比較され、運転データが予定値に対して変動している場合は異常、変動していない場合は正常と判定されその旨出力が生じる。運転員はこれらデータ出力装置８の出力およびデータ判定装置９の判定結果を評価することにより、発電所１０から伝送されてきた運転データのうち、どの運転データが正常で、どのデータが変動しているのかを即座に判断することができる。
【００１９】
以上述べたように、本実施例は運転データをその変化速度に応じて高速サンプリングまたは低速サンプリングして収集するようにしたので、全ての運転データを高速サンプリングする場合に比べ、収集する運転データ点数、伝送する運転データ点数を必要最少限度に制限することができ、その結果、データ収集装置およびデータ保存装置の規模を適切なものとすることができる。
【００２０】
（実施例２）
図２は本発明の実施例２の主要部であるデータ収集装置を示す構成図である。
本実施例によるデータ収集装置３Ａは、実施例１のデータ収集装置３に対してデータ演算部３４を追加したものであり、その他の構成はデータ収集装置３と同じなので、重複する説明は省略する。
【００２１】
本実施例で追加したデータ演算部３４は、入力した運転データから他の運転データを演算によって求めるものである。例えば、入力した電圧データおよび電流データを用いて有効電力、無効電力、力率等を演算により求め、電圧あるいは電流データのいずれか一方の周期をゼロクロス等で検出することにより周波数を求める。これら有効電力を求める演算式乃至周波数を求める演算式は既に、周知であるのでここでは説明を省略する。
【００２２】
以上述べたように、本実施例によれば入力した運転データから他の運転データを演算によって求めるようにデータ収集装置３Ａを構成したので、実施例１に比べて運転データの入力点数をさらに制限することができる。
【００２３】
（実施例３）
図３は本発明の実施例３の主要部であるデータ収集装置を示す構成図である。
本実施例によるデータ収集装置３Ｂは、実施例１のデータ収集装置３に対してトリガ判定部３５とトリガ発信部３６とを追加して構成したものであり、その他の構成はデータ収集装置３と同じなので、重複する説明は省略する。
【００２４】
本実施例で追加したトリガ判定部３５は、例えば、入力した電圧データが設定値（通常値）の1.05倍以上となったときに動作して判定結果を出力するものであり、一方、トリガ発信部３６は、トリガ判定部３５の判定結果を入力すると、図示していない例えば発電所１０内部に設けた警報装置等に警報信号を出力し、運転員に知らせるものである。
【００２５】
以上述べたように、本実施例によれば、データ収集装置３Ｂで入力した運転データに関するトリガ判定及びトリガ発信が可能となるので、発電所１０側においても運転データが異常になったことを検出することができる。
【００２６】
（実施例４）
図４は本発明の実施例４の主要部であるデータ収集装置を示す構成図である。
本実施例によるデータ収集装置３Ｃは、実施例１によるデータ収集装置３に対して、サンプリング部３１、３２の前段に外部トリガ信号（例えば、発電機保護リレーの動作出力等）によってサンプリング速度を低速から高速に切替えるサンプリング周期切り替え部３７を追加したものであり、その他の構成はデータ収集装置３と同じなので、重複する説明は省略する。
【００２７】
本実施例の場合、定常時（外部トリガ信号無発生時）は変化速度の比較的速い電気量データについても温度信号や圧力信号と同じ低速のサンプリング速度（１ｓ程度）でサンプリングし、異常時例えば発電機保護リレーが動作した等の理由により外部トリガ信号が発生した場合、サンプリング周期切り替え部３７が動作して、入力する運転データのサンプリング速度を低速から高速（１．６７ｍｓ程度）に切替える。
【００２８】
この結果、定常時は電気量データを監視するのに十分なサンプリング周期で運転データを伝送していなくても、外部トリガ信号の発生時にはサンプリング速度を高速度にし、収集・伝送する運転データ点数を制御所２０での電気量データの監視に必要なサンプリング間隔とデータ点数とを確保することができる。
【００２９】
以上述べたように、本実施例によれば、外部トリガ信号無発生時と発生時とでサンプリングの速度を変更することが可能であるので、同一の運転データであっても定常時と異常時とでサンプリング周期を変更できるので、収集データ点数を更に低減することができる。
【００３０】
（実施例５）
図５は本発明の実施例５の主主要部であるデータ収集装置を示す構成図である。
本実施例によるデータ収集装置３Ｄは、実施例４のデータ収集装置３Ｃに対して、トリガ判定部３５とトリガ発信部３６とを追加し、しかも、トリガ発信部３６から出力される内部トリガ信号（実施例４の外部トリガ信号と区別して、内部トリガ信号という）により自装置のサンプリング周期切り替え部３７に入力し、入力する運転データのサンプリング速度を低速から高速に切り替えるようにしたものである。その他の構成はデータ収集装置３Ｃと同じなので重複する説明は省略する。
【００３１】
以上のように構成された本実施例によれば、サンプリング周期を切り替えるトリガ信号をデータ収集装置３Ｄ自体で作ることができる。
【００３２】
（実施例６）
図６は本発明の実施例６の主主要部であるデータ収集装置を示す構成図である。
本実施例によるデータ収集装置３Ｅは、実施例３のデータ収集装置３Ｂに対して、トリガ判定部３５の判定値を変更可能にするための判定値変更部３８を追加したものであり、その他の構成はデータ収集装置３Ｂと同じなので重複する説明は省略する。
【００３３】
この追加した判定値変更部３８は、発電所ごとに運転データのトリガ判定値が異なっていたとしても、トリガ判定値の変更を容易に行うことができる。
以上述べたように、本実施例によれば、トリガ判定値の変更を容易に行うことができる。
【００３４】
（実施例７）
図７は本発明の実施例７の主要部であるデータ収集装置を示す構成図である。
本実施例によるデータ収集装置３Ｆは、実施例６と同様に構成されているが、唯一異なるのは、判定値変更部３８をデータ収集装置３Ｆの外部、例えば、データ収集装置３Ｆを収納した配電盤から離れた場所に設置されている配電盤等に設けたものであり、その他の構成はデータ収集装置３Ｅと同じなので重複する説明は省略する。
【００３５】
本実施例によれば、実施例６と同様、トリガ判定値の変更を容易に行うことができることに加え、データ収集装置３Ｆを収納した配電盤から離れた場所からもトリガ判定値の変更を行うことができる。
【００３６】
（実施例８）
図８は本発明の実施例８の主要部であるデータ収集装置を示す構成図である。
本実施例によるデータ収集装置３Ｇは、実施例１のデータ収集装置３を構成する基板上に変換器２を搭載し、両者を一体化したものであり、その他の構成はデータ収集装置３と同じなので重複する説明は省略する。
このように構成された本実施例は、実施例１と同様の作用効果を奏することができる。
【００３７】
（実施例９）
図９は本発明の実施例９の主要部であるデータ判定装置を示す構成図である。
本実施例によるデータ判定装置９Ａは、データ判定装置として元々備えているデータ判定部９１に対してデータ演算部９２を追加したものである。
【００３８】
本実施例では、データ保存装置から出力された運転データのうち、温度、圧力等のデータは、データ判定部９１に入力され、一方、電圧、電流等のデータはデータ演算部９２に入力され、ここで実施例２のデータ演算部３４と同様に、有効電力や無効電力、あるいは力率や周波数等の運転データを演算により求める。そして、データ保存装置からの入力データおよびデータ演算部９２の演算によって求めたデータの全てをデータ判定部９１に入力し、予め定めた値と比較することによって、実施例１の場合と同様、運転データが変動しているか否かの判定を行う。
【００３９】
本実施例によれば、データ判定装置９の内部で入力した運転データから他の運転データを演算によって求めるので、実施例１の場合よりも、入力データおよび伝送データの点数を少なくすることができる。
【００４０】
（実施例１０）
図１０は本発明の実施例１０の主要部であるデータ判定装置を示す構成図である。
本実施例によるデータ判定装置９Ｂは、データ判定部９１に対してトリガ発信部９３を追加し、しかもデータ判定装置９１でデータ出力装置８に保存された運転データが予定値に対して変動しているか否かとの判定の他に、予定のトリガ設定値を超えているか否かの判定についても併せて行えるように構成したものである。
【００４１】
本実施例によれば、制御所のデータ判定装置で運転データ異常時にトリガ発信をするので、データ異常時に制御所内に警報を発することができる。
【００４２】
（実施例１１）
図１１は本発明の実施例１１に係る発電設備の遠隔監視装置を示す構成図である。
本実施例は、発電所１０内のデータ収集装置３を図４に示すデータ収集装置３Ｃに置き換え、さらに、制御所２０内のデータ判定装置９を図１０に示すデータ判定装置９Ｂに置き換え、トリガ発信部９３から出力されたトリガ信号をデータ伝送装置６、データ伝送路５を介して発電所１０のデータ伝送装置４に伝送することにより、サンプリング周期切り替え部３７に入力し、サンプリング周期切り替え部３７のサンプリング速度を低速から高速に切替えるように構成したものである。
【００４３】
このように構成された本実施例は、発電機の運転データがデータ判定装置９Ｂで判定された結果、トリガ判定値を超えた場合、それ以前は低速であったサンプリング周期を高速サンプリング周期に変更されるので、遠隔地の制御所２０で発電機の運転状況をより的確なサンプリング周期の運転データで監視することができる。
【００４４】
（実施例１２）
図１２は本発明の実施例１２の主要部であるデータ判定装置を示す構成図である。
本実施例は、図１０に示したデータ判定装置９Ｂのデータ判定部９１の判定値を変更可能とするために、データ判定装置９Ｃ内に判定値変更部９４を追加したものである。
【００４５】
したがって、本実施例によればデータ判定装置９Ｃでデータ判定部９１の判定値を変更することが可能となる。
本実施例によれば、発電所ごとに運転データのトリガ判定値が異なっていたとしても、データ判定装置９Ｃ内でトリガ判定値の変更を容易に行うことができる。
【００４６】
（実施例１３）
図１３は本発明の実施例１３の主要部であるデータ判定装置を示す構成図である。
本実施例のデータ判定装置９Ｄは、図１２に示したデータ判定装置９Ｃの内部に設けた判定値変更部９４を外部に出したものである。
このように構成された本実施例において、データ判定装置９Ｃから離れた場所から判定値の変更を容易に行うことができる。
【００４７】
（実施例１４）
図１４は本発明の実施例１４の主要部であるデータ保存装置を示す構成図である。
本実施例のデータ保存装置７Ａは、図１で示したデータ保存装置７自体が元々備えているデータ保存部７１に対して、データ演算部７２を追加して構成したものである。
【００４８】
このように構成された本実施例は、データ伝送装置から出力された運転データのうち、温度、圧力等のデータを、データ保存部７１に入力し、一方、電圧、電流等のデータはデータ演算部７２に入力し、ここで実施例９のデータ演算部９２と同様に、有効電力や無効電力、あるいは力率や周波数等の運転データを演算により求める。そして、データ伝送装置からの入力データおよびデータ演算部７２で演算によって求めたデータの全てをデータ保存部７１に入力して保存する。
【００４９】
本実施例によれば、データ保存装置７内部で他のデータを演算によって求めることができるので、実施例１に比べ、データの入力点数、伝送点数を少なくすることができる。
【００５０】
（実施例１５）
図１５は本発明の実施例１５の主要部であるデータ保存装置を示す構成図である。
本実施例によるデータ保存装置７Ｂは、データ保存部７１に対して、トリガ判定部７３およびトリガ発振部７４を追加して構成したものである。
このように構成された本実施例によれば、データ判保存装置７Ｂにおいても、伝送されてきた運転データのトリガ判定及びトリガ発信が可能となる。
【００５１】
（実施例１６）
図１６は本発明の実施例１６に係る発電設備の遠隔監視装置を示す構成図である。
本実施例は、実施例１１の制御所２０側の構成を一部変更したものであり、具体的にはデータ保存装置７を実施例１５で採用したデータ保存装置７Ｂに置き換え、データ判定装置９Ｂをデータ判定装置９に置き換え、さらに、データ保存装置７Ｂのトリガ発信部７４から発せられたトリガ信号をデータ伝送装置６に入力しするように構成したものである。その他は、実施例１１の場合と同じなので、重複した説明は省略する。
【００５２】
本実施例によれば、データ保存装置７Ｂから発せられたトリガ信号により、データ収集装置３Ｃのサンプリング速度を低速から高速に変更することが可能となる。
【００５３】
（実施例１７）
図１７は本発明の実施例１７の主要部であるデータ保存装置を示す図である。
本実施例のデータ保存装置７Ｃは、実施例１５のデータ保存装置７Ｂに、トリガ判定部７３の判定値を変更するための判定値変更部７５を追加した構成としたものである。
このように構成された本実施例によれば、データ保存装置７Ｃ内でトリガ判定値の変更が可能となる。
【００５４】
（実施例１８）
図１８は本発明の実施例１８の主要部であるデータ保存装置を示す図である。
本実施例のデータ保存装置７Ｄは、実施例１７のデータ保存装置７Ｃと同様の要素から構成されているが、データ保存装置７Ｃと相違する点は、判定値変更部７５を外部に設けるようにした点にある。
このように構成された本実施例では、データ保存装置７Ｄの外部よりトリガ判定値の変更が可能となる。
【００５５】
（実施例１９）
図１９は本発明の実施例１９に係る発電設備の遠隔監視装置を示す構成図である。
本実施例は、実施例１のデータ収集部３とデータ伝送装置４との間にデータ保存装置７Ｅを追加することにより、発電所１０内において発電機の運転データを一定期間保存して伝送するように構成したものである。
【００５６】
本実施例によれば、実施例１のように、運転データをリアルタイムで伝送するのではなく、一定周期ごと纏めて制御所２０側に伝送することができる。
【００５７】
（実施例２０）
図２０は本発明の実施例２０に係る発電設備の遠隔監視装置を示す構成図である。
本実施例は、実施例１（図１）の制御所２０側に、外部連絡装置１１と外部受信装置１２を追加したものであり、その他の構成は実施例１と同じであるので、重複する説明は省略する。
【００５８】
本実施例で新たに設けた外部受信装置１２とは例えば、携帯電話やＰＨＳ等の音声情報を利用する携帯端末若しくはポケットベルのように文字情報を利用する携帯端末であり、外部連絡装置１１とはデータ判定装置９の出力を外部受信装置１２に送るための一種のインターフェースである。
【００５９】
このように構成された本実施例によれば、運転データに異常等が発生したときに、運転員が制御室等の所定の場所に居なくても連絡が可能であり、外部に居ても運転データの異常を検出することができる。
【００６０】
（実施例２１）
図２１は本発明の実施例２１の主要部であるデータ収集装置を示す構成図である。
本実施例は、図３で示したデータ収集装置３Ｂに対して、実施例２０の外部受信装置１２を追加して構成したものである。
【００６１】
このように構成された本実施例は、データ収集装置３Ｂでトリガ信号が発生したときに、外部の携帯電話等の外部受信装置１２へ連絡することが可能となり、外部に居ても運転データの異常を検出することができる。
【００６２】
（実施例２２）
図２２は本発明の実施例２２に係る発電設備の遠隔監視装置を示す構成図である。
本実施例のデータ判定装置９Ｃは、データ判定部９１の出力に応じてリモート操作信号を発信するリモート操作信号発信部９４を設けるとともに、発電所１０内に制御装置１３を設け、リモート操作信号発信部９４から出力される操作信号をデータ伝送装置６に入力し、このデータ伝送装置６から、データ伝送路５を介して発電所１０内のデータ伝送装置４の伝送し、制御装置１３に入力するように構成したものである。この制御装置１３は、例えば発電機１の自動電圧制御装置（ＡＶＲ）の設定値を変更するための装置である。
【００６３】
このように構成された本実施例によれば、制御所２０においてデータ判定装置９Ｃが、電圧データが予定値よりも高いということを判定した場合に、制御所２０から制御装置１３に対して発電機端子電圧下げの操作信号を伝送することにより、発電機１の出力電圧を所定値に制御をすることができる。
【００６４】
なお、この実施例２２はデータ判定装置９Ｃの出力により、発電機１のＡＶＲの電圧設定器を遠隔操作するようにしたが、ＡＶＲの電圧設定器以外の装置を遠隔操作するようにしても良い。
【図面の簡単な説明】
【００６５】
【図１】本発明の実施例１に係る発電設備の遠隔監視装置を示す構成図。
【図２】本発明の実施例２のデータ収集装置を示す構成図。
【図３】本発明の実施例３のデータ収集装置を示す構成図。
【図４】本発明の実施例４のデータ収集装置を示す構成図。
【図５】本発明の実施例５のデータ収集装置を示す構成図。
【図６】本発明の実施例６のデータ収集装置を示す構成図。
【図７】本発明の実施例７のデータ収集装置を示す構成図。
【図８】本発明の実施例８のデータ収集装置を示す構成図。
【図９】本発明の実施例９のデータ判定装置を示す構成図。
【図１０】本発明の実施例１０のデータ判定装置を示す構成図。
【図１１】本発明の実施例１１に係る発電設備の遠隔監視装置を示す構成図。
【図１２】本発明の実施例１２のデータ判定装置を示す構成図。
【図１３】本発明の実施例１３のデータ判定装置を示す構成図。
【図１４】本発明の実施例１４のデータ保存装置を示す構成図。
【図１５】本発明の実施例１５のデータ保存装置を示す構成図。
【図１６】本発明の実施例１６に係る発電設備の遠隔監視装置を示す構成図。
【図１７】本発明の実施例１７のデータ保存装置を示す構成図。
【図１８】本発明の実施例１８のデータ保存装置を示す構成図。
【図１９】本発明の実施例１９に係る発電設備の遠隔監視装置を示す構成図。
【図２０】本発明の実施例２０に係る発電設備の遠隔監視装置を示す構成図。
【図２１】本発明の実施例２１に係るデータ収集装置を示す構成図。
【図２２】本発明の実施例２２に係る発電設備の遠隔監視装置を示す構成図。
【符号の説明】
【００６６】
１…発電機、２…変換器、３，３Ａ，３Ｂ，３Ｃ，３Ｄ，３Ｅ，３Ｆ，３Ｇ…データ収集装置、３１…高速サンプリング部、３２…低速サンプリング部、３３…データ収集部、３４…データ演算部、３５…トリガ判定部、３６…トリガ発信部、３７…サンプリング周期切り替え部、３８…判定値変更部、４…データ伝送装置、５…データ伝送路、６…データ伝送装置、７，７Ａ，７Ｂ，７Ｃ，７Ｄ，７Ｅ…データ保存装置、７１…データ保存部、７２…データ演算部、７３…トリガ判定部、７４…トリガ発信部、７５…設定値変更部、８…データ出力装置、９，９Ａ，９Ｂ，９Ｃ，９Ｄ…データ判定装置、９１…データ判定部、９２…データ演算部、９３…トリガ発信部、９４…判定値変更部、１０…発電所、１１…外部連絡装置、１２…外部受信装置、１３…制御装置、２０…制御所。
【図１】
2005346463.tif 000003
【図２】
2005346463.tif 000004
【図３】
2005346463.tif 000005
【図４】
2005346463.tif 000006
【図５】
2005346463.tif 000007
【図６】
2005346463.tif 000008
【図７】
2005346463.tif 000009
【図８】
2005346463.tif 000010
【図９】
2005346463.tif 000011
【図１０】
2005346463.tif 000012
【図１１】
2005346463.tif 000013
【図１２】
2005346463.tif 000014
【図１３】
2005346463.tif 000015
【図１４】
2005346463.tif 000016
【図１５】
2005346463.tif 000017
【図１６】
2005346463.tif 000018
【図１７】
2005346463.tif 000019
【図１８】
2005346463.tif 000020
【図１９】
2005346463.tif 000021
【図２０】
2005346463.tif 000022
【図２１】
2005346463.tif 000023
【図２２】
2005346463.tif 000024